(57)【要約】【課題】  中間転写ベルトに付着した残留トナーを研磨剤を用いて確実に除去することにより、クリーニングブレードのめくれやエッジの損傷を防止し、フィルミングの発生を防止して、画像スジやムラのない良好な画像を長期にわたって得られるクリーニング装置。【解決手段】  中間転写体に形成されたトナー像が記録材に二次転写された後の残留トナーを前記中間転写体より除去するクリーニングブレードと、前記中間転写体の回転方向に対して前記クリーニングブレードの上流側に位置し、ループ状のブラシを有して前記中間転写体に当接して回転するブラシローラと、前記ブラシローラに研磨剤を供給する研磨剤供給手段と、を備え、前記ブラシローラを前記中間転写体の回転方向と逆方向に前記中間転写体の線速度以上の線速度で回転させると共に、前記ブラシローラに前記研磨剤供給手段により研磨剤を供給すること。【選択図】        図２
2006003604.tif 000002
【特許請求の範囲】
【請求項１】
中間転写体に形成されたトナー像が記録材に二次転写された後の残留トナーを前記中間転写体より除去するクリーニングブレードと、
前記中間転写体の回転方向に対して前記クリーニングブレードの上流側に位置し、ループ状のブラシを有して前記中間転写体に当接して回転するブラシローラと、
前記ブラシローラに研磨剤を供給する研磨剤供給手段と、を備え、
前記ブラシローラを前記中間転写体の回転方向と逆方向に前記中間転写体の線速度以上の線速度で回転させると共に、前記ブラシローラに前記研磨剤供給手段により研磨剤を供給することを特徴とするクリーニング装置。
【請求項２】
中間転写体に形成されたトナー像が記録材に二次転写された後の残留トナーを前記中間転写体より除去するクリーニングブレードと、
前記中間転写体の回転方向に対して前記クリーニングブレードの上流側に位置し、ループ状のブラシを有して前記中間転写体に当接して回転するブラシローラと、
前記ブラシローラに研磨剤を供給する研磨剤供給手段と、を備え、
前記研磨剤供給手段の供給口の一端を前記ブラシローラに当接させ、前記ブラシローラの回転により生ずる前記供給口の振動によって、前記研磨剤供給手段より研磨剤を前記ブラシローラに供給することを特徴とするクリーニング装置。
【請求項３】
前記研磨剤供給手段の供給口の一端は弾性を有してシート状に形成され、前記ブラシローラが停止しているときには前記供給口を閉鎖していることを特徴とする請求項２に記載のクリーニング装置。
【請求項４】
前記クリーニングブレードによって除去された残留トナーは、前記ブラシローラに付着することを特徴とする請求項１〜３の何れか１項に記載のクリーニング装置。
【請求項５】
前記ブラシローラの回転方向に対して前記研磨剤供給手段の供給口の上流側に、前記ブラシローラに付着したトナーを除去するフリッカーを設けたことを特徴とする請求項４に記載のクリーニング装置。
【請求項６】
前記研磨剤は平均粒子径が８０〜５００ｎｍの無機微粒子であることを特徴とする請求項１〜５の何れか１項に記載のクリーニング装置。
【請求項７】
請求項１〜６の何れか１項に記載のクリーニング装置を備えたことを特徴とする画像形成装置。
【発明の詳細な説明】
【技術分野】
【０００１】
本発明は、像担持体に形成したトナー像を中間転写体に一次転写し、中間転写体に転写したトナー像を記録材に二次転写して画像形成する画像形成装置に関し、詳しくは中間転写体上の残留トナーを除去するクリーニング装置に関する。
【背景技術】
【０００２】
帯電、露光、現像の各手段を周囲に配置した感光体ドラム上にトナー像を形成し、トナー像を記録材に転写する構成や、複数の感光体ドラム上に形成したトナー像を中間転写ベルトに一次転写した後に中間転写ベルト上のトナー像を記録材に二次転写する構成の画像形成装置においては、転写後の感光体ドラムや中間転写ベルト等の像担持体に付着した残留トナーを除去するために、該像担持体の走行方向に対しカウンタ方向にウレタンゴム等からなる弾性状のクリーニングブレードを当接させてクリーニングするブレードクリーニング方式が知られている。
【０００３】
近年は、画像形成装置は高画質化、高速化、高耐久化が求められ、トナーは小径化してきており、従来のブレードクリーニング方式では感光体ドラムや中間転写ベルトのフィルミングによる画像スジ、ムラやクリーニングブレードのエッジの摩耗、欠けによるクリーニング不良が問題になっている。特に中間転写ベルトを用いる場合には、フィルミングやクリーニングブレードのエッジの欠けがより多く発生する傾向がある。中間転写ベルトの場合は感光体ドラムより表面が硬くて削れ難く、トナーに含まれるワックスや滑材等が付着され易いため、フィルミングがより多く発生し易い。これにより、フィルミングが発生した部所の中間転写ベルトとクリーニングブレードとの摩擦抵抗が上昇し、クリーニングブレードのエッジが中間転写ベルトの表面に引っ掛かって、めくれが生じ、この結果クリーニングブレードのエッジに欠けが発生する。また、フィルミングが発生した場所で転写性が低下し、画像スジ、ムラとなる。
【０００４】
この問題への対策として、クリーニングブレードの材質を強化して欠けを防止したり、中間転写ベルトをクリーニングブレードにより研磨して摩擦抵抗を減少させたりすることが検討されている。
【０００５】
この対策の一例として、二次転写ロールと中間転写ベルトとの間で微少ギャップによる放電が発生し、中間転写ベルトの表面に放電生成物が付着した場合に、この放電生成物を除去するために、中間転写ベルトに研磨剤を供給し、クリーニングブレードと中間転写ベルトとの当接部で研磨剤により中間転写ベルトを研磨して、放電生成物を除去すると共に摩擦抵抗を減少させるように構成した画像形成装置が知られている（特許文献１参照）。
【０００６】
また、ループ状のブラシを有するクリーニングブラシを当接して、感光体ドラム上の残留トナーを除去するクリーニング装置が知られている（特許文献２）。
【特許文献１】特開２０００−２３１２８０号公報
【特許文献２】特開平６−１３８７９８号公報
【発明の開示】
【発明が解決しようとする課題】
【０００７】
特許文献１に記載の画像形成装置においては、中間転写ベルトに付着した放電生成物をクリーニングブレードと中間転写ベルトとの当接部で研磨剤によって除去している。しかし、接触面積が狭い前記当接部に研磨剤が滞留して中間転写ベルトを研磨する構成であるので、充分な研磨効果を得難い。特に、トナーに含まれるワックスや滑材等を除去する場合には放電生成物を除去する場合と異なり、充分な対策にはならない。
【０００８】
また、特許文献２に記載のクリーニング装置においては、クリーニングブラシで感光体ドラム上の残留トナーを除去している。しかし、中間転写ベルトは感光体ドラムより表面が硬くて削れ難いので、中間転写ベルトをクリーニングブラシのみで研磨した場合では、充分な研磨効果が得られない。
【０００９】
本発明はかかる問題に鑑みてなされたものであり、中間転写ベルトに付着した残留トナーのワックスや滑材等を研磨剤を用いて確実に除去することにより、クリーニングブレードのめくれやエッジの損傷を防止し、更にフィルミングの発生を防止して、画像スジやムラのない良好な画像を長期にわたって得られるクリーニング装置及び画像形成装置を提供することを目的とする。
【課題を解決するための手段】
【００１０】
上記目的は下記の何れかの手段によって達成される。
（１）中間転写体に形成されたトナー像が記録材に二次転写された後の残留トナーを前記中間転写体より除去するクリーニングブレードと、前記中間転写体の回転方向に対して前記クリーニングブレードの上流側に位置し、ループ状のブラシを有して前記中間転写体に当接して回転するブラシローラと、前記ブラシローラに研磨剤を供給する研磨剤供給手段と、を備え、前記ブラシローラを前記中間転写体の回転方向と逆方向に前記中間転写体の線速度以上の線速度で回転させると共に、前記ブラシローラに前記研磨剤供給手段により研磨剤を供給することを特徴とするクリーニング装置。
（２）中間転写体に形成されたトナー像が記録材に二次転写された後の残留トナーを前記中間転写体より除去するクリーニングブレードと、前記中間転写体の回転方向に対して前記クリーニングブレードの上流側に位置し、ループ状のブラシを有して前記中間転写体に当接して回転するブラシローラと、前記ブラシローラに研磨剤を供給する研磨剤供給手段と、を備え、前記研磨剤供給手段の供給口の一端を前記ブラシローラに当接させ、前記ブラシローラの回転により生ずる前記供給口の振動によって、前記研磨剤供給手段より研磨剤を前記ブラシローラに供給することを特徴とするクリーニング装置。
【発明の効果】
【００１１】
本発明のクリーニング装置及び画像形成装置によれば、中間転写体に付着した残留トナーを研磨剤を用いて確実に除去することができるので、クリーニングブレードのめくれやエッジの損傷を防止でき、更にフィルミングの発生を防止して画像スジやムラのない良好な画像を長期にわたって得ることができる。
【発明を実施するための最良の形態】
【００１２】
先ず、本発明に係るクリーニング装置を備えた画像形成装置の一実施の形態を、図１を参照して説明する。
【００１３】
図１は、カラー画像を形成する画像形成装置の断面構成図である。
【００１４】
本画像形成装置は、画像形成装置１００と画像読取装置２００とから構成される。
【００１５】
画像形成装置１００は、タンデム型カラー画像形成装置と称せられるもので、複数組の画像形成手段１０Ｙ，１０Ｍ，１０Ｃ，１０Ｋ、ベルト状の中間転写ベルト６（中間転写体）、給紙搬送手段２０、及び定着装置３０とからなる。
【００１６】
画像形成装置１００の上部には、自動原稿送り装置２０１と原稿画像走査露光装置２０２とから成る画像読取装置２００が設置されている。
【００１７】
自動原稿送り装置２０１の原稿台上に載置された原稿ｄは搬送手段により搬送され、原稿画像走査露光装置２０２の光学系により原稿の片面又は両面の画像が走査露光され、ラインイメージセンサＣＣＤに読み込まれる。
【００１８】
ラインイメージセンサＣＣＤにより光電変換されたアナログ信号は、画像処理部１０１において、アナログ処理、Ａ／Ｄ変換、シェーディング補正、画像圧縮処理等を行った後、露光手段３Ｙ，３Ｍ，３Ｃ，３Ｋに入力される。
【００１９】
イエロー（Ｙ）色の画像を形成する画像形成手段１０Ｙは、像担持体としての感光体ドラム１Ｙの周囲に配置された帯電手段２Ｙ、露光手段３Ｙ、現像装置４Ｙ及びクリーニング手段５Ｙを有する。マゼンタ（Ｍ）色の画像を形成する画像形成手段１０Ｍは、像担持体としての感光体ドラム１Ｍ、帯電手段２Ｍ、露光手段３Ｍ、現像装置４Ｍ及びクリーニング手段５Ｍを有する。シアン（Ｃ）色の画像を形成する画像形成手段１０Ｃは、像担持体としての感光体ドラム１Ｃ、帯電手段２Ｃ、露光手段３Ｃ、現像装置４Ｃ及びクリーニング手段５Ｃを有する。黒（Ｋ）色の画像を形成する画像形成手段１０Ｋは、像担持体としての感光体ドラム１Ｋ、帯電手段２Ｋ、露光手段３Ｋ、現像装置４Ｋ及びクリーニング手段５Ｋを有する。帯電手段２Ｙと露光手段３Ｙ、帯電手段２Ｍと露光手段３Ｍ、帯電手段２Ｃと露光装置３Ｃ、及び帯電手段２Ｋと露光装置３Ｋは、潜像形成手段を構成する。
【００２０】
現像装置４Ｙ，４Ｍ，４Ｃ，４Ｋは、イエロー（Ｙ）、マゼンタ（Ｍ）、シアン（Ｃ）及び黒（Ｋ）の小粒径トナーとキャリアからなる二成分現像剤をそれぞれ収容する。
【００２１】
中間転写ベルト６は、複数のローラ６１に巻回され、回転可能に支持されている。
【００２２】
なお、中間転写ベルト６は、体積抵抗が１０6〜１０12Ω・ｃｍの無端ベルトであり、例えばポリカーボネート（ＰＣ）、ポリイミド（ＰＩ）、ポリアミドイミド（ＰＡＩ）、ポリビニリデンフルオライド（ＰＶＤＦ）、エトラフルオロエチレン−エチレン共重合体（ＥＴＦＥ）等の樹脂材料や、ＥＰＤＭ、ＮＢＲ、ＣＲ、ポリウレタン等のゴム材料にカーボン等の導電性フィラーを分散させたり、イオン性の導電材料を含有させたりしたものが用いられ、厚みは、樹脂材料の場合５０〜２００μｍ程度、ゴム材料の場合は３００〜７００μｍ程度の設定にすることが好ましい。
【００２３】
以上の構成により、画像形成手段１０Ｙ，１０Ｍ，１０Ｃ，１０Ｋより形成された各色の画像は、回転する中間転写ベルト６上に一次転写手段７Ｙ，７Ｍ，７Ｃ，７Ｋにより逐次転写されて（一次転写）、合成されたカラー画像が形成される。
【００２４】
給紙搬送手段２０の給紙カセット２１内に収容された記録材Ｐは、給紙手段２２により給紙され、給紙ローラ２３，２４，２５，２６、レジストローラ２７等を経て、転写ローラ９に搬送され、中間転写ベルト６上のカラー画像が記録材Ｐ上に転写される（二次転写）。
【００２５】
カラー画像が転写された記録材Ｐは、定着装置３０において挟着され、熱と圧力とが加えられることにより記録材Ｐ上のトナー像が定着されて記録材Ｐ上に固定され、排紙ローラ２８に挟持される。その後、機外の排紙トレイ２９上に載置される。
【００２６】
一方、転写ローラ９により記録材Ｐにカラー画像を転写した後、記録材Ｐを曲率分離した中間転写ベルト６は、クリーニング装置８により残留トナーや紙粉等の付着物が除去される。
【００２７】
定着処理された記録材Ｐを反転排紙する場合には、記録材Ｐは定着装置３０と排紙ローラ２８の中間に配置された分岐板２８Ａの図示右側の搬送路を通過し、下方の第１搬送路〈１〉に搬送された後、逆転搬送されて分岐板２８Ａの図示左側の第２搬送路〈２〉を通過し、排紙ローラ２８により装置外に排出される。
【００２８】
記録材Ｐの両面に複写する場合には、記録材Ｐの第１面に形成した画像を定着処理した後、記録材Ｐを第１搬送路〈１〉、さらに分岐板２８Ｂの下方の第４搬送路〈４〉に導入した後、逆転搬送し、分岐板２８Ｂの図示右側の搬送路を通過させ、第３搬送路〈３〉に搬送した後、上方に迂回し給紙ローラ２６により搬送する。記録材Ｐは画像形成手段１０Ｙ，１０Ｍ，１０Ｃ，１０Ｋにおいて第２面に各色の画像が両面に形成され、定着装置３０により加熱定着処理され、排紙ローラ２８によって装置外に排出される。
【００２９】
なお、以上の画像形成装置においては、カラー画像の形成装置として説明したが、中間転写ベルトを用いればモノクロ画像の形成装置であってもよい。
【００３０】
次に、クリーニング装置８の詳細につて、図２を参照して説明する。図２はクリーニング装置８の要部断面図である。
【００３１】
８１はケーシングで、クリーニング装置８を構成する各部材が装着され、且つ、中間転写ベルト６から除去した残留トナーを貯蔵するトナー貯溜部Ｓを有する。
【００３２】
８２はウレタンゴム等の弾性体からなるクリーニングブレードであり、ブレードホルダ８３に接着剤等により固定されている。ブレードホルダ８３は支持軸８３ａによって回動自在に軸支され、且つ不図示のバネによって反時計方向に回動するように付勢されている。これにより、クリーニングブレード８２のエッジ８２Ａが、中間転写ベルト６の回転方向と反対方向（カウンター方向）に向いた状態で、バックアップローラ６１に支持された中間転写ベルト６に圧接している。
【００３３】
８４は表面に導電性ナイロン糸等からなる多数のループ状のブラシを有するブラシローラであり、クリーニングブレード８２のエッジ８２Ａと中間転写ベルト６との圧接位置よりも中間転写ベルト６の回転方向上流側で、中間転写ベルト６に当接している。ブラシローラ８４は、不図示の回転手段によって中間転写ベルト６と逆方向に回転し、且つ、その線速度が中間転写ベルト６の線速度よりも早くなるように構成されている。
【００３４】
８５は内部に研磨剤Ｋを収容した研磨剤供給手段であり、下部の供給口８５Ａより研磨剤Ｋをブラシローラ８４に供給する。
【００３５】
８６はステンレス棒等からなるフリッカーであり、ブラシローラ８４の回転方向に対して研磨剤供給手段８５の供給口８５ａの上流側に位置して固定され、回転するブラシローラ８４に当接してブラシローラ８４に付着した残留トナーを除去する。
【００３６】
８７はケーシング８１に固定されたシール部材であり、中間転写ベルト６に当接して、残留トナーが漏出することを防止している。
【００３７】
８８はケーシング８１の底部に設けられた回収スクリューであり、不図示の駆動源によって回転することにより、トナー貯溜部Ｓの底部に貯溜した残留トナーを紙面垂直方向に搬送し、ケーシング８１外へ排出する。
【００３８】
次に、クリーニング装置８の動作について説明する。
【００３９】
中間転写ベルト６上のトナー像を転写材Ｐに二次転写した後、中間転写ベルト６上に残留した残留トナー等を、クリーニングブレード８２によって掻き落として除去し、中間転写ベルト６をクリーニングする。除去された残留トナーは中間転写ベルト６に接触回転しているブラシローラ８４に落下して付着し、ブラシローラ８４と共に約１８０度の角度で時計方向に回転する。そして、ブラシローラ８４に付着した残留トナーはフリッカー８６によって掻き落とされ、トナー貯溜部Ｓに貯溜される。トナー貯溜部Ｓに貯溜された残留トナーは回収スクリュー８８によってケーシング８１外へ排出される。
【００４０】
また、図３に示す如く、研磨剤供給手段８５の供給口８５Ａには２枚の弾性を有するＰＥＴ製のシート８５Ｂ，８５Ｃが取り付けられている。ブラシローラ８４の回転方向に対して、下流側に位置するシート８５Ｂは長く、上流側に位置するシート８５Ｃは短く、シート８５Ｂの先端部（供給口の一端）はブラシローラ８４に当接し、シート８５Ｃの先端部はシート８５Ｂの側面に当接している。
【００４１】
図３（ａ）に示す如く、ブラシローラ８４が回転していないときには、シート８５Ｃの先端部がシート８５Ｂの側面に当接しているので、開口部８５Ａは閉鎖状態にあって、研磨剤供給手段８５に収容してある研磨剤Ｋが落下してブラシローラ８４に付着することはない。
【００４２】
しかし、シート８５Ｂの先端部はブラシローラ８４のループ状のブラシ８４Ａに食い込んでいるので、図３（ｂ）に示す如く、ブラシローラ８４が回転するとシート８５Ｂは変形する。従って、シート８５Ｂの側面がシート８５Ｃの先端部から離れ、開口部８５Ａが開口状態になる。従って、研磨剤供給手段８５に収容してある研磨剤Ｋが落下して、ブラシローラ８４のブラシ８４Ａに付着する。これにより、研磨剤Ｋが付着したブラシローラ８４が時計方向に回転するので、ブラシローラ８４と中間転写ベルト６とが当接する当接部Ｃで研磨剤Ｋによって中間転写ベルト６を研磨し、トナー等の付着物を除去して、表面を平滑化し摩擦抵抗を低下させる。
【００４３】
なお、ナイロン糸等のブラシを有するブラシローラ８４と中間転写ベルト６との当接部Ｃの接触面積は、特許文献１の如きウレタンゴム等から形成されたクリーニングブレードと中間転写ベルトとの当接部の接触面積より遙かに広いので、研磨剤が付着したブラシ８４Ａが中間転写ベルト６に当接して回転することにより、中間転写ベルト６を充分に研磨することができる。
【００４４】
ここで、ブラシローラ８４の回転によってシート８５Ｂは弾性変形するが、ある程度で弾性変形すると、反力によって原位置に復帰するように先端部がブラシローラ８４の回転方向に対して上流側に移動する。ブラシローラ８４のブラシ８４Ａはループ状に形成されているので、シート８５Ｂの先端部は山を乗り越えるようにして上流側に移動する。従って、シート８５Ｂは振動し、これにより研磨剤供給手段８５の内部の研磨剤Ｋは揺すられて、供給口８５Ａから落下し易くなる。また、シート８５Ｂの先端部がブラシ８４Ａの山を乗り越えて上流側に移動すると、隣のブラシ８４Ａによってブラシローラ８４の回転方向に移動され、再び弾性変形して、この動作を繰り返す。
【００４５】
なお、シート８５Ｂの厚みは５０〜１５０μｍが好ましく、シート８５Ｃの厚みは１０００〜１５０μｍが好ましい。また、シート８５Ｂの自由長は５〜１０ｍｍ、ブラシローラ８４への食い込み量は０．２〜１ｍｍが好ましく、これらの諸条件を組み合わせることによって、研磨剤Ｋの最適な供給量を定めることができる。
【００４６】
また、研磨剤としては平均粒子径が８０〜５００ｎｍの無機微粒子が好ましく、無機微粒子としては例えばシリカ、アルミナ、チタン酸バリウム、チタン酸マグネシウム、チタン酸カルシウム、チタン酸ストロンチウム、酸化亜鉛、酸化セリウム等の微粒子を用いる。なお、平均粒子径が８０ｎｍ未満の場合は、フィルミングを除去する効果が不充分であり、５００ｎｍを超えた場合は、中間転写ベルトの表面に損傷が生ずる。
【００４７】
次に、上記のクリーニング装置を図１の如きタンデム型カラー画像形成装置に装着して、フィルミングの発生状況を確認する実験を行ったので、この実験条件及び実験結果を記す。
【００４８】
実験１  ブラシローラの回転方向と線速度の相違
ａ．実験条件
・クリーニングブレード
材質：ウレタンゴム
形状：厚み２ｍｍ、自由長９ｍｍ
当接条件：支点回動式、バネ荷重方式、
カウンター当接：当接角１７°
バネ荷重：荷重１６０ｍＮ／ｃｍ
・ブラシローラ
材質：導電性ナイロン糸
形状：外径１７．５ｍｍ、芯金径９ｍｍ
ループ形状、３２０ｄ／１０本、５６７ループ／ｉｎｃｈ2
ベルト食い込み量：０．５〜１．５ｍｍ
・用紙：Ａ３サイズ
・印字率：５％
・コピー枚数：２０万枚
・実験環境：常温常湿（２０℃、５０％ＲＨ）
以上の条件に設定し、ブラシローラの回転方向を正回転と逆回転とで中間転写ベルトに対する線速度を変えて、フィルミングの発生状況を確認した。
ｂ．実験結果
表１に示す。
【００４９】
【表１】
2006003604.tif 000003
【００５０】
なお、表１において、正回転とは中間転写ベルトと同方向、即ち図２における反時計方向に回転することであり、逆回転とは中間転写ベルトと逆方向、即ち図２における時計方向に回転することである。従って、正回転で中間転写ベルトの線速度に対するブラシローラの線速度が１の場合は、図２における当接部Ｃにおいて互いに等速である。しかし、逆回転で中間転写ベルトの線速度に対するブラシローラの線速度が１の場合は、図２における当接部Ｃにおいて、中間転写ベルトの線速度に対するブラシローラの相対的な線速度は２倍になる。
【００５１】
この実験により、正回転ではフィルミングが発生しないようにするためには、線速度比を２．５以上にしなければならず、モータ等が原価高になって好ましくない。一方、逆回転にし、中間転写ベルトの線速度よりブラシローラの線速度の方を早くすれば、線速度に拘わらずフィルミングが発生しないことが分かった。しかし、モータ等の原価を考慮して、線速度比を１〜２とするのが望ましい。
【００５２】
実験２  直毛タイプとループ状タイプのブラシタイプの相違
ａ．実験条件
実験１と同一の条件で、ブラシローラに直毛タイプとループ状タイプのブラシを用いて実験した。なお、ブラシローラは逆回転で、線速度比は１とした。
ｂ．実験結果
表２に示す。
【００５３】
【表２】
2006003604.tif 000004
【００５４】
表２において、ｄはデニールを意味し、繊維の太さの尺度である線密度を表す単位であって、長さ９，０００ｍで１ｇの質量を有する繊維を１デニールとする。
【００５５】
この実験により、フィルミングの発生に関して、ループ状のブラシを用いた方がよりことが判明した。
【００５６】
また、直毛タイプのブラシにおいては、ブラシ繊維の太さを太くすることで研磨性能を向上させることは可能であるが、繊維の先端部が中間転写ベルトに集中して強く当接すので、中間転写ベルトに傷を付け易い。これに対して、ループ状のブラシにおいては、直毛タイプで繊維を太くしたものと同等以上の強さを得ることができ、しかもループ状になっているため直毛タイプの如く先端部が点接触することがないので、中間転写ベルトに傷を付け難い。
【００５７】
また、直毛タイプであると、研磨剤供給手段８５のシート８５Ｂが円滑に復帰移動し難くなるので、供給口８５Ａの開閉が不安定になる。従って、この点においてもループ状のブラシの方が望ましい。
【００５８】
実験３  ランニングテスト
ａ．実験条件
以下に記載していない実験条件は上記条件と同一である。
・ブラシローラ
ブラシ：ループ状タイプ
回転方向：逆回転
線速度比：１
・用紙：Ａ３サイズ
・印字率：５％
・コピー枚数及び実験環境：常温常湿（２０℃，５０％ＲＨ）、高温高湿（３０℃，８０％ＲＨ）、低温低湿（１０℃，２０％ＲＨ）の各環境で、各々４０万枚、計１２０万枚の連続コピーを行った。
ｂ．実験結果
中間転写ベルトにフィルミングの発生が見られなかった。また、クリーニングブレードのエッジを観察したが、欠けや偏摩耗等の損傷も見られなかった。
【図面の簡単な説明】
【００５９】
【図１】カラー画像を形成する画像形成装置の断面構成図である。
【図２】クリーニング装置の要部断面図である。
【図３】研磨剤供給手段の供給口の拡大図である。
【符号の説明】
【００６０】
８  クリーニング装置
８１  ケーシング
８２  クリーニングブレード
８４  ブラシローラ
８４Ａ  ブラシ
８５  研磨剤供給手段
８５Ａ  供給口
８５Ｂ，８５Ｃ  シート
８６  フリッカー
８８  回収スクリュー
【図１】
2006003604.tif 000005
【図２】
2006003604.tif 000006
【図３】
2006003604.tif 000007